(57)【要約】【課題】薬剤に係る情報と薬剤が投与される患者の個人情報とを、完全に分離して廃棄することを容易に可能とする、ラベルを提供する。【解決手段】このラベル１では、個人情報表示部４は、主表示部２と副表示部３との間に、主表示部２および副表示部３から分離可能に形成される。薬剤に係る情報は、主表示部２および副表示部３に表示され、個人情報表示部４には表示されない。また、薬剤が投与される患者の個人情報は、個人情報表示部４にのみ表示され、主表示部２および副表示部３には表示されない。よって、ラベル１が貼着された薬剤容器等を使用後廃棄する際に、個人情報表示部４を主表示部２および副表示部３から分離することにより、薬剤に係る情報と個人情報とを完全に分離して廃棄できる。したがって、特定の個人が特定の薬剤を使用しているという情報の外部への漏洩を防止し、個人情報の保護を達成することができる。【選択図】図１
2008033115.tif 000002
【特許請求の範囲】
【請求項１】
薬剤に係る情報と前記薬剤が投与される患者の個人情報とを表示し、前記薬剤が充填された容器または使用時に前記薬剤を追加して調整される輸液用の容器に貼着されるラベルであって、
裏面が粘着面とされた主表示部および副表示部と、
前記主表示部と前記副表示部との間に設けられると共に、前記主表示部および前記副表示部から分離可能に形成され、裏面の一部または全部が非粘着面とされた個人情報表示部とを備え、
前記個人情報表示部と、前記主表示部および前記副表示部の境界には、切り取り線が形成されており、
前記主表示部および前記副表示部の少なくともいずれか一方は、前記薬剤に係る情報を表示し、
前記個人情報は、前記個人情報表示部にのみ表示される、ラベル。
【請求項２】
前記個人情報表示部の裏面の全部が非粘着面とされた、請求項１に記載のラベル。
【請求項３】
前記切り取り線は、Ｙ字状の切れ込みの連続または破線状の切れ込みからなる、請求項１または請求項２に記載のラベル。
【請求項４】
前記ラベルの周縁から窪み、その最深部が前記切り取り線の端部に繋がる、切り欠き部が形成されている、請求項１から請求項３のいずれかに記載のラベル。
【請求項５】
前記切り欠き部は、前記ラベルの前記周縁から前記切り取り線の端部に向かう、滑らかな弧を有する、請求項４に記載のラベル。
【請求項６】
前記薬剤が充填された容器と前記輸液用の容器とを結合して薬剤キットが構成され、前記薬剤キットに形成された吊り掛け穴を被覆する、前記主表示部または前記副表示部から分離可能に形成された切離し部をさらに備えた、請求項１から請求項５のいずれかに記載のラベル。
【請求項７】
前記薬剤が充填された容器と前記輸液用の容器とを結合して薬剤バッグが構成され、
前記薬剤バッグは可撓性を有する、請求項１から請求項６のいずれかに記載のラベル。
【発明の詳細な説明】
【技術分野】
【０００１】
この発明は、ラベルに関し、特に、薬剤に係る情報と薬剤が投与される患者の個人情報とを表示するラベルに関する。
【背景技術】
【０００２】
薬剤が充填されている容器には、充填されている薬剤を識別するために、薬剤に係る情報を表示するラベルが貼着される。たとえば、紙や合成樹脂などからなるラベル基材に、薬剤名や薬剤量などの薬剤に係る情報が表示され、情報が表示される面と反対側の面である裏面が粘着面とされて、容器に貼着されるものが用いられている。
【０００３】
従来、医療現場において薬剤名などが印刷された部分を分離して、注射器や輸液装置などに貼付でき、かつラベル製造工程において全ての表示内容が検査可能な薬剤管理用ラベルが提案されている（たとえば特許文献１参照）。
【特許文献１】特開２００６−５５３９２号公報
【発明の開示】
【発明が解決しようとする課題】
【０００４】
医療現場において、薬剤が取り違えられ誤使用されることを未然に防止するために、薬剤に係る情報を表示するラベルに、薬剤が投与される患者の個人情報（個人名、病室番号およびベッド番号など）を併せて表示する場合がある。この場合、薬剤を患者に投与した後に、薬剤に係る情報と薬剤が投与される患者の個人情報とを表示するラベルが貼着されたまま容器が廃棄されると、特定の個人が特定の薬剤を使用していることが一目瞭然である。このような状態で廃棄されることは好ましくなく、従来のラベルには個人情報保護の点において問題があった。
【０００５】
それゆえに、この発明の主たる目的は、薬剤に係る情報と薬剤が投与される患者の個人情報とを、完全に分離して廃棄することを容易に可能とする、ラベルを提供することである。
【課題を解決するための手段】
【０００６】
この発明に係るラベルは、薬剤に係る情報と薬剤が投与される患者の個人情報とを表示し、薬剤が充填された容器または使用時に薬剤を追加して調整される輸液用の容器（以下、薬剤容器等と称する）に貼着されるラベルである。たとえば、生理食塩水またはブドウ糖などの輸液用の容器、溶解された薬剤が充填された容器、または薬剤が充填された薬剤容器と溶解液が充填された溶解液容器とを結合してなる薬剤キットなどに貼着されるラベルである。ラベルは、主表示部と、副表示部と、個人情報表示部とを備える。主表示部および副表示部の裏面は、粘着面とされている。個人情報表示部は、主表示部と副表示部との間に設けられると共に、主表示部および副表示部から分離可能に形成されている。個人情報表示部の裏面の一部または全部は、非粘着面とされている。また、個人情報表示部と、主表示部および副表示部の境界には、切り取り線が形成されている。そして、主表示部および副表示部の少なくともいずれか一方は、薬剤に係る情報を表示し、個人情報は、個人情報表示部にのみ表示される。
【０００７】
この場合は、ラベルが薬剤容器等に貼着されている状態において、個人情報表示部の裏面の一部または全部は非粘着面とされているので、個人情報表示部の少なくとも一部は薬剤容器等に接着されておらず、容易に剥離させることが可能である。個人情報表示部と、主表示部および副表示部の境界には、切り取り線が形成されているので、個人情報表示部を主表示部および副表示部から容易に分離可能である。このとき、薬剤に係る情報は、主表示部および副表示部に表示され、個人情報表示部には表示されない。また、個人情報は、個人情報表示部にのみ表示され、主表示部および副表示部には表示されない。よって、薬剤容器等を使用後廃棄する際に個人情報表示部を主表示部および副表示部から分離することによって、薬剤に係る情報と個人情報とを完全に分離して廃棄することができる。
【０００８】
また、個人情報表示部が主表示部と副表示部との間に形成され、主表示部と副表示部とは薬剤容器等に強固に接着される。そして、これらの境界には、切り取り線が形成されている。その結果、個人情報表示部を把持して薬剤容器等から剥ぎ取る際、個人情報表示部の両側の切り取り線に均等に力が加わり、主表示部および副表示部から確実に切り取り線で分離することが可能となる。したがって、個人情報表示部を分離させるときに個人情報表示部が破損して、一部の個人情報が薬剤に係る情報と分離されないままで薬剤容器等が廃棄され、個人情報が外部に漏洩する事態を防止することができる。または、個人情報表示部を完全に分離させるために必要な、医師や看護師などの医療従事者の手数を削減することができる。以上より、特定の個人が特定の薬剤を使用しているという情報の外部への漏洩を防止し、個人情報の保護を達成することができる。
【０００９】
好ましくは、個人情報表示部の裏面の全部が非粘着面とされている。この場合は、個人情報表示部の裏面の全部が薬剤容器等に接着されないため、さらに容易に個人情報表示部を薬剤容器などから剥離させることが可能となる。これにより、切り取り線に沿って個人情報表示部を主表示部および副表示部から分離させ、薬剤に係る情報と個人情報とを完全に分離することが容易に可能である。
【００１０】
また好ましくは、切り取り線は、Ｙ字状の切れ込みの連続または破線状の切れ込みからなる。この場合は、Ｙ字状の切れ込みの連続または破線状の切れ込みからなる切り取り線に沿って、より容易に個人情報表示部を分離することができる。
【００１１】
また好ましくは、ラベルの周縁から窪み、その最深部が切り取り線の端部に繋がる、切り欠き部が形成されている。この場合は、切り欠き部が形成されている側を把持して個人情報表示部を分離させることにより、より容易に個人情報表示部を分離することができる。
【００１２】
また好ましくは、切り欠き部は、ラベルの周縁から切り取り線へ向かう、滑らかな弧を有する。この場合は、滑らかな弧を有する切り欠き部が形成されている側を把持して個人情報表示部を分離させることにより、一層容易に個人情報表示部を分離することができる。
【００１３】
また好ましくは、薬剤が充填された容器と輸液用の容器とを結合して薬剤キットが構成される。ラベルは、主表示部または副表示部から分離可能に形成された切離し部を備える。そして、ラベルを薬剤キットに貼着したとき、切離し部は、薬剤キットに形成された吊り掛け穴を被覆する。この場合は、薬剤キットを用いて薬剤を患者に投与するときには、薬剤キットに形成されている吊り掛け穴を介して薬剤キットを架台に掛け吊るす必要があるが、薬剤キットに貼着されたラベルの切離し部で吊り掛け穴を被覆することによって、切離し部の分離を確実に医療従事者に実施させることができる。このとき、薬剤の混合状態に関し、医療従事者の注意を喚起することができる。そして、薬剤を投与する前に必要である、薬剤容器と溶解液容器とを連通させ、薬剤容器に充填されている薬剤と溶解液容器に充填されている溶解液とを混合し、薬剤を溶解液中に溶解させる一連の作業を、医療従事者に確実に実施させることができる。
【００１４】
また好ましくは、薬剤が充填された容器と輸液用の容器とを結合して薬剤バッグが構成される。薬剤バッグは、可撓性を有する。この場合は、予め混合しておくと時間経過とともに変質する不安定な薬剤の保管および患者への投与に際し、用時調製し易く、廃棄も容易な薬剤バッグを使用することができる。薬剤に係る情報と個人情報との表示のために、上記のラベルを薬剤バッグに貼着することができる。そして、薬剤バッグを使用後廃棄する際に個人情報表示部を主表示部および副表示部から分離することによって、薬剤に係る情報と個人情報とを完全に分離して廃棄することができる。したがって、特定の個人が特定の薬剤を使用しているという情報の外部への漏洩を防止し、個人情報の保護を達成することができる。
【発明の効果】
【００１５】
この発明のラベルによると、薬剤に係る情報と薬剤が投与される患者の個人情報とを、完全に分離して廃棄することを容易に可能とすることができる。
【発明を実施するための最良の形態】
【００１６】
以下、図面に基づいてこの発明の実施の形態を説明する。なお、以下の図面において同一または相当する部分には同一の参照番号を付しその説明は繰返さない。
【００１７】
（実施の形態１）
図１は、この発明の実施の形態１のラベルを示す模式図である。図１に示すように、薬剤に係る情報と薬剤が投与される患者の個人情報とを表示するラベル１は、主表示部２と、副表示部３と、個人情報表示部４とを備える。主表示部２、副表示部３および個人情報表示部４は、略四角形状に形成されている。個人情報表示部４は、主表示部２と副表示部３との間に設けられている。個人情報表示部４と主表示部２との境界、および個人情報表示部４と副表示部３との境界には、切り取り線７が形成されている。切り取り線７は、Ｙ字状の切れ込みの連続からなる。図１に示すように、切り取り線７は、ラベル１の周縁の一部を構成する左右の側辺に対し、略直交するように形成されている。
【００１８】
個人情報表示部４と主表示部２との境界に跨って、切り欠き部５が形成されている。図１に示すように、切り欠き部５は、ラベル１の周縁から窪み、切り欠き部５の最深部が切り取り線７のラベル１の正面に向かって左側の端部に繋がるように、形成されている。なお、図１に示すように、切り欠き部５の最深部とは、切り欠き部５が形成されているラベル１の周縁、すなわちラベル１の正面に向かって左側の側辺から、最も離れている箇所を示す。
【００１９】
個人情報表示部４と副表示部３との境界に跨って、切り欠き部６が形成されている。図１に示すように、切り欠き部６の構成は、切り欠き部５と同じである。
【００２０】
切り欠き部５および切り欠き部６は、ラベル１の周縁から切り取り線７へ向かう、滑らかな弧を有する。すなわち、図１に示すように、切り欠き部５および切り欠き部６が形成されているラベル１の周縁は、ラベル１の正面に向かって左側の側辺である。そして、切り欠き部５および切り欠き部６は、ラベル１の正面に向かって左側の側辺と切り取り線７との両方に略接している、滑らかな弧によって、形成されている。
【００２１】
Ｙ字状の切れ込みの連続からなる切り取り線７によって、個人情報表示部４は、主表示部２および副表示部３から容易に分離可能に形成されている。切り取り線は破線状の切れ込みによって構成してもよい。また、切り欠き部５および切り欠き部６がラベル１の左側の側辺に形成されているので、個人情報表示部４は、その左側において容易に把持することができる。
【００２２】
そして、薬剤に係る情報は、主表示部２および副表示部３の少なくともいずれか一方に表示されている。たとえば図１に示すように、主表示部２に薬剤の名称、製造番号、使用期限が表示され、副表示部３に薬剤の製造販売元が表示されている。薬剤に係る情報としては、薬剤の商品名、薬剤名、組成（溶解液の量（単位：ｍｌ）中の薬剤の量（単位：ｇ）、などの表記）、製造販売元、製造番号、使用期限、使用上の注意などがある。これらの薬剤に係る情報は、予めラベル１に印刷されている。
【００２３】
また、個人情報は、個人情報表示部４にのみ表示される。たとえば図１に示すように、個人情報表示部４に患者の個人名、病室番号、ベッド番号が表示される。具体的な個人情報は医療現場において、たとえば医師や看護師などの医療従事者が表示する。たとえば、医療従事者が個人情報を手書きしてもよく、個人情報を表示したシールを貼付してもよい。
【００２４】
薬剤に係る情報は、主表示部２および副表示部３に表示され、個人情報表示部４には表示されない。また、個人情報は、個人情報表示部４にのみ表示され、主表示部２および副表示部３には表示されない。よって、個人情報表示部４を主表示部２および副表示部３から分離することによって、薬剤に係る情報と個人情報とを完全に分離することができる。
【００２５】
また図１に示すように、ラベル１は、切離し部８を備えている。切離し部８と主表示部２との境界において、切り取り線７が形成されている。切り取り線７によって、切離し部８は、主表示部２から分離可能に形成されている。切離し部は、副表示部３から分離可能に形成されてもよい。
【００２６】
図２は、図１のＩＩ−ＩＩ線による断面における、ラベルの断面を示す模式図である。図２に示すように、ラベル１の、薬剤に係る情報および個人情報が表示されるラベル基材における、情報が表示される面と反対側の面である裏面には、粘着剤層１１が形成されている。主表示部２および副表示部３におけるラベル基材の裏面には、粘着剤層１１のみが形成されている。これにより、主表示部２および副表示部３の裏面は、粘着面とされている。一方、個人情報表示部４および切離し部８におけるラベル基材の裏面の全体には、粘着剤層１１を被覆して、非粘着薬剤層１２が形成されている。非粘着薬剤層１２に含まれる非粘着薬剤は、粘着剤層１１に含まれる粘着剤の粘着機能を無効とする機能を有する。これにより、個人情報表示部４の裏面と切離し部８の裏面とは、非粘着面とされている。よって、ラベル１が後述する薬剤バッグに貼着されている状態において、非粘着薬剤層１２が形成されている個人情報表示部４の裏面の全部と切離し部８の裏面とは、薬剤バッグの表面に接着されない。
【００２７】
ラベル基材としては、たとえば紙や合成樹脂などを用いることができる。粘着剤層１１に含まれる粘着剤としては、たとえばアクリル酸エステル共重合体などのアクリル系粘着剤、ゴム系粘着剤、またはシリコン系粘着剤などを用いることができる。非粘着薬剤層１２は、たとえばＯＰ（オーバープリント）ニスなどの非粘着薬剤を、粘着剤層１１を被覆するように印刷して形成することができる。
【００２８】
図３は、この実施の形態のラベルが貼着される薬剤バッグの全体を示す模式図である。図３に示すように、薬剤バッグ２０は、薬剤が充填された薬剤容器２１と、溶解液が充填された溶解液容器２２とを結合してなる。薬剤容器２１に充填される薬剤は、粉末状の薬剤であっても、液体状の薬剤であってもよい。薬剤バッグ２０の保管中に薬剤容器２１に充填されている薬剤と溶解液容器２２に充填されている溶解液とが混合しないように、薬剤容器２１と溶解液容器２２とは弱シール部により分離されている。また、薬剤容器２１の上部には、吊り掛け穴２３が形成されている。溶解液容器２２の下部には、排出ポート２４が形成されている。
【００２９】
薬剤バッグ２０を構成する薬剤容器２１と溶解液容器２２とはいずれも、可撓性を有する熱可塑性樹脂によって作製することができる。たとえばポリエチレン、ポリプロピレン、ポリエチレンテレフタレート（ＰＥＴ）またはこれらの積層物などによって作製することができる。たとえば、薬剤容器２１と溶解液容器２２とは、熱可塑性樹脂シートの外周を溶着して作製することができる。このため、製造が容易である。また、薬剤容器としてアンプル（ガラス製容器）を用いる場合と比べ、廃棄も容易である。薬剤容器２１の表面には、長時間光に晒されると劣化する薬剤の保管のために、アルミニウムシートなどの遮光層を設けてもよい。
【００３０】
薬剤バッグ２０を使用して患者に薬剤を投与する手順は以下の通りである。まず、医療従事者が溶解液容器２２を手で押圧する。これにより溶解液容器２２に充填されている溶解液の圧力が高まる。溶解液の圧力によって、薬剤容器２１と溶解液容器２２とを分離している部分が剥離して、薬剤容器２１と溶解液容器２２とが連通する。この状態で医療従事者が溶解液容器２２と薬剤容器２１とを交互に揉むことで、薬剤容器２１に充填されている薬剤と溶解液容器２２に充填されている溶解液とを混合する。これにより、薬剤を溶解液中に溶解させ、患者に投与する混合薬剤を調製する。
【００３１】
そして、薬剤容器２１に形成されている吊り掛け穴２３を介して、薬剤バッグ２０を、たとえば点滴スタンドなどの架台に掛け吊るす。そして、排出ポート２４に穿刺針を突き刺して、穿刺針に接続されているチューブを介して、混合薬剤を患者に投与する。
【００３２】
ここで、図３に示すように、薬剤バッグ２０にはラベル１が貼着されており、ラベル１の切離し部８は薬剤容器２１に形成されている吊り掛け穴２３を被覆している。吊り掛け穴２３を被覆することによって、薬剤バッグ２０を架台に掛け吊るすとき、切離し部８の分離を確実に医療従事者に実施させることができる。このとき、薬剤の混合状態に関し、医療従事者の注意を喚起することができる。したがって、薬剤を投与する前に必要である、薬剤容器と溶解液容器とを連通させ、薬剤容器に充填されている薬剤と溶解液容器に充填されている溶解液とを混合し、薬剤を溶解液中に溶解させる一連の作業を、医療従事者に確実に実施させることができる。
【００３３】
以上説明したように、予め混合しておくと時間経過とともに変質する不安定な薬剤の保管および患者への投与に際し、用時調製し易く、廃棄も容易な薬剤バッグ２０を使用することができる。さらに、ラベル１を薬剤バッグ２０に貼着することによって、薬剤に係る情報と、薬剤が投与される患者の個人情報とを薬剤バッグ２０に表示することができる。そして、薬剤バッグ２０を使用後廃棄する際に個人情報表示部４を主表示部２および副表示部３から分離することによって、薬剤に係る情報と個人情報とを完全に分離して廃棄することができる。したがって、特定の個人が特定の薬剤を使用しているという情報の外部への漏洩を防止し、個人情報の保護を達成することができる。
【００３４】
このとき、ラベル１においては、個人情報表示部４が主表示部２と副表示部３との間に形成されている。主表示部２と副表示部３とは、主表示部２と副表示部３との裏面に形成されている粘着剤層１１によって、薬剤バッグ２０に強固に接着される。一方、非粘着薬剤層１２が形成されている個人情報表示部４の裏面の全部は、薬剤バッグ２０の表面に接着していない。また、個人情報表示部４と主表示部２および副表示部３の境界には、Ｙ字状の切れ込みの連続からなる切り取り線７が形成されている。その結果、個人情報表示部４を薬剤バッグ２０から剥ぎ取る際、個人情報表示部４の両側の切り取り線７に均等に力が加わり、個人情報表示部４を主表示部２および副表示部３から確実に切り取り線７で分離することができる。したがって、個人情報表示部４を分離させるときに個人情報表示部４が破損して、一部の個人情報が薬剤に係る情報と分離されずに個人情報が漏洩する事態を防止することができる。または、個人情報表示部４を完全に分離させるために必要な医療従事者の手数を削減することができる。
【００３５】
また、切り欠き部５および切り欠き部６がラベル１の周縁から窪んで形成されているので、ラベル１の周縁の切り欠き部が形成されている側において、個人情報表示部４を容易に把持することができる。切り欠き部５および切り欠き部６の最深部が切り取り線７の端部に繋がるように形成されているので、一層容易に個人情報表示部４を切り取り線７で主表示部２および副表示部３から分離することができる。
【００３６】
（実施の形態２）
図４は、この発明の実施の形態２のラベルを示す模式図である。図５は、図４のＶ−Ｖ線による断面における、ラベルの断面を示す模式図である。実施の形態２のラベルと、上述した実施の形態１のラベルとは、基本的に同様の構成を備えている。しかし、実施の形態２では、切り欠き部が図４に示すような構成、また非粘着面が図５に示すような構成となっている点で実施の形態１とは異なっている。
【００３７】
具体的には、図４に示すように、ラベル１の周縁、すなわちラベル１の正面に向かって左側の側辺が窪み、切り欠き部５および切り欠き部６が形成されている。切り欠き部５および切り欠き部６は、ラベル１の周縁から切り取り線７へ向かって、直線状に切れ込んでいる。すなわち、図４に示すように、ラベル１の正面に向かって左側の側辺から切り取り線７へ向かう、直線状の切れ込みによって、切り欠き部５および切り欠き部６が形成されている。また、切り取り線７は、破線状の切れ込みからなる。
【００３８】
また、図５に示すように、ラベル１の裏面には、主表示部２および副表示部３における裏面のみに、粘着剤層１１が形成されている。個人情報表示部４および切離し部８における裏面には粘着剤層１１は形成されず、たとえば紙や合成樹脂であるラベル基材が、個人情報表示部４および切離し部８の裏面の全部に露出している。この構成によって、個人情報表示部４の裏面の全部と切離し部８の裏面とは、薬剤バッグの表面に接着されない、非粘着面として設けられている。
【００３９】
実施の形態２のラベル１の構成によって、実施の形態１と同様に、ラベル１の周縁の切り欠き部が形成されている側、すなわちラベル１の左側から個人情報表示部４を分離させることにより、個人情報表示部４を主表示部２および副表示部３から確実に切り取り線７で分離することができる。
【００４０】
なお、実施の形態１および実施の形態２の説明においては、切り欠き部がラベルの左側の側辺に形成されている例を述べているが、切り欠き部はラベルの右側の側辺に形成されてもよく、また、左右両側の側辺に形成されてもよい。切り欠き部がラベルの左右両側の側辺に形成されると、医療従事者はラベルの左側または右側の任意の側から個人情報表示部を分離することができるので、より容易に個人情報表示部を分離可能とでき、一層使い勝手のよいラベルを提供することができる。
【００４１】
また、切り取り線がラベルの側辺に繋がるように形成されている例を述べているが、切り取り線がラベルの上辺と底辺とに繋がるように形成されてもよい。さらに、図１および図４において、主表示部２、副表示部３および個人情報表示部４は、略四角形状に形成されているが、この形状に限られるものではない。たとえば、主表示部、副表示部および個人情報表示部が、八角形状や楕円形状を成すように形成されてもよい。このような構成においても、個人情報表示部が主表示部と副表示部との間に設けられ、主表示部および副表示部における裏面は粘着面とされ、また個人情報表示部の裏面は非粘着面とされることによって、個人情報表示部を主表示部および副表示部から容易に分離することができる。
【００４２】
また、個人情報表示部の裏面の全部が非粘着面とされている例を述べているが、個人情報表示部の裏面の一部は粘着面とされていてもよい。すなわち、個人情報表示部の裏面の全部ではなく、一部が非粘着面とされていてもよい。この場合においても、個人情報表示部の大部分は薬剤バッグに接着されておらず、個人情報を薬剤バッグから容易に剥離させることが可能であれば、個人情報表示部を主表示部および副表示部から容易に分離することができる。たとえば、個人情報表示部の裏面の面積のうちの８０％以上、または９０％以上、または９５％以上などを非粘着面とすることができる。たとえば、個人情報表示部の裏面の中央部付近の一箇所または複数箇所が粘着面とされ、個人情報表示部の裏面が薬剤バッグに点接着されるように形成されてもよい。なお、個人情報表示部の裏面に用いられる粘着剤には、主表示部および副表示部の裏面に用いられる粘着剤よりも、粘着力の弱い粘着剤が用いられると、より好適である。
【００４３】
さらに、ラベルが薬剤バッグに貼着される例を述べているが、この発明のラベルは薬剤バッグ以外の容器にも適用可能である。たとえば、溶解された薬剤が充填された容器、または使用時に薬剤を追加して調整される生理食塩水やブドウ糖などの輸液用の容器にも、適用可能である。またたとえば、薬剤が充填された容器と輸液用の容器とを結合して構成される薬剤キットであって、薬剤容器と溶解液用器との少なくともいずれか一方はアンプルやバイアルのような可撓性を有さない容器であっても、適用可能である。
【００４４】
今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【産業上の利用可能性】
【００４５】
この発明のラベルは、薬剤に係る情報と薬剤が投与される患者の個人情報とを表示し、薬剤キットに貼着されるラベルに、特に有利に適用され得る。
【図面の簡単な説明】
【００４６】
【図１】この発明の実施の形態１のラベルを示す模式図である。
【図２】図１のＩＩ−ＩＩ線による断面におけるラベルの断面を示す模式図である。
【図３】薬剤バッグの全体を示す模式図である。
【図４】この発明の実施の形態２のラベルを示す模式図である。
【図５】図４のＶ−Ｖ線による断面におけるラベルの断面を示す模式図である。
【符号の説明】
【００４７】
１  ラベル、２  主表示部、３  副表示部、４  個人情報表示部、５，６  切り欠き部、７  切り取り線、８  切離し部、１１  粘着剤層、１２  非粘着薬剤層、２０  薬剤バッグ、２１  薬剤容器、２２  溶解液容器、２３  吊り掛け穴、２４  排出ポート。
【図１】
2008033115.tif 000003
【図２】
2008033115.tif 000004
【図３】
2008033115.tif 000005
【図４】
2008033115.tif 000006
【図５】
2008033115.tif 000007